(57)【要約】  測定ユニットは、対象の測定機器と、本体と、を備える。対象の測定機器は、Ｍ種類の測定情報を収集するＮ個の測定機器のうちの一つである。本体は、Ｎ個の測定機器に関係する情報を記憶する管理装置と通信を実行するための通信インターフェースと、Ｎ個の測定機器のうちのＬ個の測定機器と通信可能な態様で接続するための測定インターフェースと、本体メモリと、制御部と、を有している。制御部は、対象の測定機器が測定インターフェースに接続される特定の場合に、対象の測定機器から測定インターフェースを介して対象の測定情報を取得するための測定準備処理を実行し、測定準備処理が実行された後に、本体メモリに記憶された設定情報を利用して、測定インターフェースに接続済みの対象の測定機器から測定インターフェースを介して対象の測定情報を取得し、通信インターフェースを介して、取得された対象の測定情報を管理装置に送信する。
2018207262.tif 000002
【特許請求の範囲】
【請求項１】
対象の測定機器と、
本体と、
を備える測定ユニットであって、
前記対象の測定機器は、Ｍ種類（Ｍは１以上の整数）の測定情報を収集するＮ個（ＮはＭ以上の整数）の測定機器のうちの一つであり、
前記本体は、
前記Ｎ個の測定機器に関係する情報を記憶する管理装置と通信を実行するための通信インターフェースと、
前記Ｎ個の測定機器のうちのＬ個（Ｌは１以上Ｎ以下の整数）の測定機器と通信可能な態様で接続するための測定インターフェースと、
本体メモリと、
制御部と、を有しており、
前記制御部は、
前記対象の測定機器が前記測定インターフェースに接続される特定の場合に、前記対象の測定機器から前記測定インターフェースを介して対象の測定情報を取得するための測定準備処理であって、（ａ）前記測定インターフェースを介して、前記対象の測定機器から前記対象の測定機器を識別するための対象の識別情報を取得することと、（ｂ）前記通信インターフェースを介して、前記対象の識別情報を含むリクエスト信号を前記管理装置に送信することと、（ｃ）前記リクエスト信号の送信後に、前記管理装置から、前記通信インターフェースを介して、前記対象の測定情報の処理に必要な設定に関係する設定情報を受信することと、（ｄ）受信された前記設定情報を前記本体メモリに記憶させることと、を含む前記測定準備処理を実行し、
前記測定準備処理が実行された後に、前記本体メモリに記憶された前記設定情報を利用して、前記測定インターフェースに接続済みの前記対象の測定機器から前記測定インターフェースを介して前記対象の測定情報を取得し、
前記通信インターフェースを介して、取得された前記対象の測定情報を前記管理装置に送信する、
測定ユニット。
【請求項２】
前記制御部は、
前記測定インターフェースに前記対象の測定機器が接続される際に、前記本体メモリ内に前記設定情報が記憶されていない場合である前記特定の場合に、前記測定準備処理を実行し、
前記測定インターフェースに前記対象の測定機器が接続される際に、既に前記本体メモリ内に前記設定情報が記憶されている場合には、前記測定準備処理を実行することなく、前記本体メモリに記憶された前記設定情報を利用して、前記測定インターフェースに接続済みの前記対象の測定機器から前記測定インターフェースを介して前記対象の測定情報を取得する、
請求項１に記載の測定ユニット。
【請求項３】
前記測定インターフェースは、Ｌ個のコネクタを含み、
前記Ｌ個のコネクタのそれぞれは、前記Ｌ個の測定機器のそれぞれと直接的に接続可能である、
請求項１又は２に記載の測定ユニット。
【請求項４】
前記制御部は、さらに、前記対象の測定情報を前記本体メモリに記憶させる、
請求項１から３のいずれか一項に記載の測定ユニット。
【請求項５】
前記対象の測定機器は、機器メモリを備え、前記対象の測定情報を前記機器メモリに記憶させる、
請求項１から４のいずれか一項に記載の測定ユニット。
【請求項６】
前記本体は、さらに、前記Ｎ個の測定機器によって収集されるＮ種類の測定情報とは異なる種類の特定の測定情報を収集する測定部を備え、
前記制御部は、前記測定部から、前記測定部が収集した前記特定の測定情報を取得する、
請求項１から５のいずれか一項に記載の測定ユニット。
【請求項７】
前記本体は、さらに、前記本体の各部に電力を供給するための電源部を備え、
前記電源部は、前記対象の測定機器が前記測定インターフェースに接続される場合に、前記測定インターフェースを介して前記対象の測定機器に電力を供給する、
請求項１から６のいずれか一項に記載の測定ユニット。
【請求項８】
前記対象の測定機器は、測定処理を実行して前記対象の測定情報のうちの少なくとも一部を取得するためのセンサを備える、
請求項１から７のいずれか一項に記載の測定ユニット。
【請求項９】
前記対象の測定機器は、測定処理を実行して前記対象の測定情報のうちの少なくとも一部を取得するための外部センサを接続可能な入力部を備える、
請求項１から８のいずれか一項に記載の測定ユニット。
【請求項１０】
前記対象の測定機器は、外部機器を制御するための制御信号を出力する出力部を備える、
請求項１から９のいずれか一項に記載の測定ユニット。
【請求項１１】
測定ユニットと、
前記測定ユニットと通信可能に接続され、Ｍ種類（Ｍは１以上の整数）の測定情報を収集するＮ個（ＮはＭ以上の整数）の測定機器に関係する情報を記憶している管理装置と、を備え、
前記測定ユニットは、
対象の測定機器と、
本体と、を備え、
前記対象の測定機器は、前記Ｎ個の測定機器のうちの一つであり、
前記本体は、
前記管理装置と通信を実行するための通信インターフェースと、
前記Ｎ個の測定機器のうちのＬ個（Ｌは１以上Ｎ以下の整数）の測定機器と通信可能な態様で接続するための測定インターフェースと、
本体メモリと、
制御部と、を有しており、
前記制御部は、
前記対象の測定機器が前記測定インターフェースに接続される特定の場合に、前記対象の測定機器から前記測定インターフェースを介して対象の測定情報を取得するための測定準備処理であって、（ａ）前記測定インターフェースを介して、前記対象の測定機器から前記対象の測定機器を識別するための対象の識別情報を取得することと、（ｂ）前記通信インターフェースを介して、前記対象の識別情報を含むリクエスト信号を前記管理装置に送信することと、（ｃ）前記リクエスト信号の送信後に、前記管理装置から、前記通信インターフェースを介して、前記対象の測定情報の処理に必要な設定に関係する設定情報を受信することと、（ｄ）受信された前記設定情報を前記本体メモリに記憶させることと、を含む前記測定準備処理を実行し、
前記測定準備処理が実行された後に、前記本体メモリに記憶された前記設定情報を利用して、前記測定インターフェースに接続済みの前記対象の測定機器から前記測定インターフェースを介して前記対象の測定情報を取得し、
前記通信インターフェースを介して、取得された前記対象の測定情報を前記管理装置に送信し、
前記管理装置は、
前記本体から前記リクエスト信号を受信する場合に、前記Ｎ個の測定機器に関係する前記情報のうちの前記設定情報を前記本体に送信する、
情報管理システム。
【発明の詳細な説明】
【技術分野】
【０００１】
本明細書によって開示される技術は、測定情報を収集する測定ユニット、及び、測定情報を管理する情報管理システムに関する。
【背景技術】
【０００２】
例えば、特開２００２−６９３７号公報（以下、特許文献１という）には、管理対象の機器の状況を把握するためのセンサを内蔵する状況把握装置と、状況把握装置から情報を取得する中継装置と、中継装置から情報を取得して記憶するデータベースと、データベースに記憶された情報の少なくとも一部を表示等することによってサービス提供者に伝達するサーバと、を備える管理システムが開示されている。
【発明の概要】
【発明が解決しようとする課題】
【０００３】
特許文献１の技術では、状況把握装置が内蔵しているセンサによって測定可能な情報とは異なる種類の情報が測定されるべき場合については考慮されていない。そのため、特許文献１の技術によると、そのような場合には、ユーザ自身が、既に内蔵されているセンサとは異なるセンサを状況把握装置に新たに内蔵させる必要があるとともに、センサが計測する情報を処理するために必要な設定を状況把握装置に対して予め行う必要があり、ユーザの作業負荷が大きいおそれがある。【０００４】
本明細書では、対象の測定情報を収集するための測定ユニットを準備すべき状況におけるユーザの作業負荷を従来よりも低減することができる技術を開示する。【０００５】
本明細書によって開示される測定ユニットは、対象の測定機器と、本体と、を備える。前記対象の測定機器は、Ｍ種類（Ｍは１以上の整数）の測定情報を収集するＮ個（ＮはＭ以上の整数）の測定機器のうちの一つである。前記本体は、前記Ｎ個の測定機器に関係する情報を記憶する管理装置と通信を実行するための通信インターフェースと、前記Ｎ個の測定機器のうちのＬ個（Ｌは１以上Ｎ以下の整数）の測定機器と通信可能な態様で接続するための測定インターフェースと、本体メモリと、制御部と、を有している。前記制御部は、前記対象の測定機器が前記測定インターフェースに接続される特定の場合に、前記対象の測定機器から前記測定インターフェースを介して対象の測定情報を取得するための測定準備処理であって、（ａ）前記測定インターフェースを介して、前記対象の測定機器から前記対象の測定機器を識別するための対象の識別情報を取得することと、（ｂ）前記通信インターフェースを介して、前記対象の識別情報を含むリクエスト信号を前記管理装置に送信することと、（ｃ）前記リクエスト信号の送信後に、前記管理装置から、前記通信インターフェースを介して、前記対象の測定情報の処理に必要な設定に関係する設定情報を受信することと、（ｄ）受信された前記設定情報を前記本体メモリに記憶させることと、を含む前記測定準備処理を実行し、前記測定準備処理が実行された後に、前記本体メモリに記憶された前記設定情報を利用して、前記測定インターフェースに接続済みの前記対象の測定機器から前記測定インターフェースを介して前記対象の測定情報を取得し、前記通信インターフェースを介して、取得された前記対象の測定情報を前記管理装置に送信する。【０００６】
ここで、「対象の測定情報の処理に必要な設定に関係する設定情報」とは、例えば対象の測定情報のデータ種別（例えば温度、湿度、ｐｈ値、等）、データサイズ、データ区切り位置、データ取得用アドレス等の各種設定に関係する情報を含む。また、「管理装置」は、１個の装置として構成されていても、複数の装置の組合せであってもよい。例えば「管理装置」は、１個のサーバとして構成されていてもよい。また、「管理装置」は、サーバと本体との間の通信を中継するための中継機を含んでいてもよい。また、「管理装置」は、測定情報を記憶するための記憶装置（即ちデータベース）と、各設定情報を含むＮ個の測定機器に関係する情報を記憶する設定情報サーバと、記憶装置内の測定情報の少なくとも一部を表示可能な表示装置と、によって構成されていてもよい。また、「Ｌ個の測定機器と通信可能な態様で接続する」は、コネクタを介して直接的に接続することと、有線通信インターフェースを介して有線通信可能な態様で接続することと、無線通信インターフェースを介して無線通信可能な態様で接続することと、を含む。【０００７】
上記の構成によると、本体の制御部は、対象の測定機器が測定インターフェースに接続される特定の場合に、測定準備処理を行う。測定準備処理が行われることにより、本体メモリに設定情報が記憶される。その後、制御部は、設定情報を利用して、測定インターフェースに接続されている対象の測定機器から、測定インターフェースを介して対象の測定情報を取得することができるとともに、取得された対象の測定情報を、通信インターフェースを介して管理装置に送信することができる。即ち、対象の測定情報を収集するための測定ユニットを準備すべき状況において、ユーザが対象の測定機器を測定インターフェースに接続させれば、ユーザがその他の設定操作等を自分で行わなくても、対象の測定情報を収集するための測定ユニットが構築される。ユーザが設定操作を自分で行う必要がある従来の構成と比べて、対象の測定情報を収集するための測定ユニットを準備すべき状況におけるユーザの作業負荷を従来よりも低減することができる。【０００８】
前記制御部は、前記測定インターフェースに前記対象の測定機器が接続される際に、前記本体メモリ内に前記設定情報が記憶されていない場合である前記特定の場合に、前記測定準備処理を実行し、前記測定インターフェースに前記対象の測定機器が接続される際に、既に前記本体メモリ内に前記設定情報が記憶されている場合には、前記測定準備処理を実行することなく、前記本体メモリに記憶された前記設定情報を利用して、前記測定インターフェースに接続済みの前記対象の測定機器から前記測定インターフェースを介して前記対象の測定情報を取得してもよい。【０００９】
この構成によると、例えば、対象の測定機器と測定インターフェースとが過去に接続され、測定準備処理が過去に行われて本体メモリに設定情報が記憶された後で、対象の測定機器と測定インターフェースとの接続が解除され、その後再び測定インターフェースに対象の測定機器が接続されるような場合において、制御部は、測定準備処理を再度実行しなくても、既に本体メモリに記憶されている設定情報を利用して、対象の測定情報を取得することができる。測定インターフェースに対象の測定機器が接続される毎に測定準備処理が実行される構成を採用する場合に比べて、制御部の処理負荷が小さく済む。【００１０】
前記測定インターフェースは、Ｌ個のコネクタを含んでもよい。前記Ｌ個のコネクタのそれぞれは、前記Ｌ個の測定機器のそれぞれと直接的に接続可能であってもよい。【００１１】
この構成によると、ユーザは、対象の測定機器を、Ｌ個のコネクタのうちのいずれかに接続する操作を行えば、他の操作を行わなくても、対象の測定情報を収集するための測定ユニットを構築することができる。また、対象の測定機器をＬ個のコネクタのうちのどのコネクタに接続させても、同様の測定ユニットを構築することができるため、接続の自由度も高い。【００１２】
前記制御部は、さらに、前記対象の測定情報を前記本体メモリに記憶させてもよい。【００１３】
この構成によると、本体は、例えば、本体と管理装置との間の通信環境の悪化等の要因によって本体と管理装置との間の通信が実行不可能な事態が発生した場合においても、対象の測定情報を本体メモリに記憶させておくことができる。本体と管理装置との間の通信が実行不可能な事態が発生した場合において、その間の対象の測定情報が失われる事態の発生を防止することができる。【００１４】
前記対象の測定機器は、機器メモリを備え、前記対象の測定情報を前記機器メモリに記憶させてもよい。【００１５】
この構成によると、対象の測定機器は、例えば、対象の測定機器と本体との間の接続状況の悪化等の要因によって対象の測定機器と本体とが通信不可能な事態、または、本体と管理装置との間の通信環境の悪化等の要因によって本体と管理装置との間の通信が実行不可能な事態が発生した場合等において、対象の測定情報を機器メモリに記憶させておくことができる。管理装置の管理者は、機器メモリ内の対象の測定情報を読み出すことによって、通信が実行できない間の対象の測定情報を取得することができる。【００１６】
前記本体は、さらに、前記Ｎ個の測定機器によって収集されるＮ種類の測定情報とは異なる種類の特定の測定情報を収集する測定部を備えてもよい。前記制御部は、前記測定部から、前記測定部が収集した前記特定の測定情報を取得してもよい。【００１７】
この構成によると、測定インターフェースに測定機器が接続されていない場合であっても、本体は、特定の測定情報を取得することができる。【００１８】
前記本体は、さらに、前記本体の各部に電力を供給するための電源部を備えていてもよい。前記電源部は、前記対象の測定機器が前記測定インターフェースに接続される場合に、前記測定インターフェースを介して前記対象の測定機器に電力を供給してもよい。【００１９】
この構成によると、対象の測定機器は、自身が電源を備えない場合であっても、本体から供給される電力を利用して対象の測定情報を収集することができる。【００２０】
前記対象の測定機器は、測定処理を実行して前記対象の測定情報のうちの少なくとも一部を取得するためのセンサを備えていればよい。【００２１】
この構成によると、対象の測定機器自身が測定処理を実行して対象の測定情報を収集することができる。【００２２】
前記対象の測定機器は、測定処理を実行して前記対象の測定情報のうちの少なくとも一部を取得するための外部センサを接続可能な入力部を備えていてもよい。【００２３】
この構成によると、対象の測定機器は、入力部に接続された外部センサに測定処理を実行させることで対象の測定情報を収集することができる。【００２４】
前記対象の測定機器は、外部機器を制御するための制御信号を出力する出力部を備えていてもよい。【００２５】
この構成によると、対象の測定機器は、例えば、対象の測定機器の収集状況に応じて、外部機器を制御することができる。なお、ここで、「外部機器」とは、例えば電灯、ブザー、ドアロック等、オンオフ制御が可能な機器を含む。【００２６】
なお、上記の本体、対象の測定機器、管理装置を実現するための制御方法、コンピュータプログラム、及び、当該コンピュータプログラムを格納するコンピュータ読取可能媒体も、新規で有用である。また、上記の測定ユニットと管理装置とを含む情報管理システムも、新規で有用である。
【図面の簡単な説明】
【００２７】
【図１】情報管理システムの構成を示す。
【図２】本体のブロック図を示す。
【図３】測定機器のブロック図を示す。
【図４】本体に測定機器が接続される場合の動作の具体例のシーケンス図を示す。
【００２８】
（第１実施例）
（情報管理システム２の構成；図１）
図１に示す情報管理システム２は、管理対象の機器又は施設の状況を示す情報を測定し、測定された情報を収集して管理装置で管理するためのシステムである。情報管理システム２は、本体１０と、測定機器５０Ａ，５０Ｂ，５０Ｃ，５０Ｄと、中継機１００と、サーバ２００と、を備える。本体１０と中継機１００とは相互に無線通信を実行可能である。また、中継機１００とサーバ２００とは相互に無線通信を実行可能である。即ち、本体１０とサーバ２００とは、中継機１００を経由して相互に無線通信を実行可能である。図１の例では、本体１０の周囲に４個の測定機器５０Ａ〜５０Ｄのみが図示されているが、実際の情報管理システム２は、これら以外の他の測定機器を備えていてもよい。また、図１の例では、測定機器５０Ａが本体１０のコネクタ４０Ａに接続されている。以下では、本体１０と、本体１０に接続されている測定機器５０Ａとの組合せのことを測定ユニット４と呼ぶ場合がある。また、以下では、４個の測定機器５０Ａ〜５０Ｄを区別せずに呼ぶ場合に単に「測定機器５０」と記載する場合がある。【００２９】
（本体１０の構成；図１、図２）
図１に示す本体１０は、管理対象の機器又は施設（以下これらを「管理対象機器」と呼ぶ）の近傍に設けられる装置である。本体１０は、管理対象機器の状況（具体的には、例えば温湿度、照度、加速度、ドアの開閉等）を示す情報を収集する測定装置として機能するとともに、収集した情報をサーバ２００へ送信する通信装置としても機能する。図２に示すように、本体１０は、無線通信インターフェース１２と、電源部１４と、温湿度センサ２０と、加速度センサ２２と、照度センサ２４と、磁気センサ２６と、制御部３０と、メモリ３２と、３個のコネクタ４０Ａ，４０Ｂ，４０Ｃと、を備える。以下ではインターフェースのことを「Ｉ／Ｆ」と記載する。また、３個のコネクタ４０Ａ〜４０Ｃを区別せずに呼ぶ場合には単に「コネクタ４０」と記載する。図２に示すように、本体１０の各要素１２〜４０はバス線で相互に電気的に接続されている。【００３０】
無線通信Ｉ／Ｆ１２は、中継機１００と無線通信を実行するためのＩ／Ｆである。ここで、本体１０と中継機１００との間で実行される無線通信は、例えばＳｕｂ−ＧＨｚ無線通信（９２０ＭＨｚ帯を使用した無線通信）である。他の例では、本体１０と中継機１００との間で他の無線通信（例えば他の周波数帯を利用する無線通信、Bluetooth（登録商標）通信、ＬＴＥ通信など）が行われてもよい。【００３１】
電源部１４は、本体１０の各部、及び、コネクタ４０を介して接続されている測定機器５０に電力を供給するためのバッテリである。【００３２】
温湿度センサ２０は、管理対象機器の周辺の温度及び湿度を計測するためのセンサである。加速度センサ２２は、管理対象機器の加速度を計測するためのセンサである。加速度センサ２２によって計測された加速度は、管理対象機器の姿勢や動作の検出に利用することができる。照度センサ２４は、管理対象の機器等の周辺の照度を計測するためのセンサである。磁気センサ２６は、いわゆるＡＭＲ（Anisotropic Magnet Resistive）センサである。磁気センサ２６によって計測された磁気の値は、例えば管理対象機器の近傍の扉の開閉検知等のために利用することができる。以下では、本体１０に設けられている各センサ２０〜２６によって計測される情報のことをまとめて「本体測定情報」と呼ぶ場合がある。各センサ２０〜２６には、予め、当該センサによって収集可能な情報の種類を示す識別情報が割り当てられている。図２に示すように、本実施例では、温湿度センサ２０、加速度センサ２２、照度センサ２４、磁気センサ２６には、それぞれ、識別情報「ＳＩＤ２０」、「ＳＩＤ２２」、「ＳＩＤ２４」、「ＳＩＤ２６」が割り当てられている。【００３３】
制御部３０は、メモリ３２に記憶されているプログラム３４に従って様々な処理を実行する。また、メモリ３２は、プログラム３４の他に、測定情報記憶領域３６及び設定情報記憶領域３８を有する。測定情報記憶領域３６は、本体１０内の各センサ２０〜２６で測定された測定情報（即ち本体測定情報）、及び、コネクタ４０を介して測定機器５０から取得された測定情報（以下では「機器測定情報」と呼ぶ場合がある）と、を含む測定情報を記憶可能な領域である。設定情報記憶領域３８は、本体１０内の各センサ２０〜２６で測定された測定情報の処理に必要な設定に関係する設定情報（図２のＩ２０〜Ｉ２６参照）と、コネクタ４０に接続された測定機器５０から取得される測定情報の処理に必要な設定に関係する設定情報（図２のＩ５０Ａ参照）とを記憶するための領域である。【００３４】
図２の例では、設定情報記憶領域３８は、本体１０内の各センサ２０〜２６のための設定情報Ｉ２０〜Ｉ２６と、測定機器５０Ａのための設定情報Ｉ５０Ａとを記憶している。【００３５】
例えば、設定情報Ｉ２０は、温湿度センサ２０によって収集される測定情報の処理のために必要な各種情報を含む。具体的には、設定情報Ｉ２０は、温湿度センサ２０に割り当てられた識別情報「ＳＩＤ２０」と、データ種別（「温湿度」）を示す情報と、データサイズを示す情報と、データ区切りを示す情報と、データ取得のためのアドレスを示す情報と、を含む。なお、設定情報Ｉ２０はこれら以外の他の情報（例えば、データの出力種別（検知時出力又は定期出力）を示す情報等）を含んでいてもよい。同様に、設定情報Ｉ２２は、加速度センサ２２に割り当てられた識別情報「ＳＩＤ２２」と、データ種別（「加速度」）を示す情報と、データサイズを示す情報と、データ区切りを示す情報と、データ取得のためのアドレスを示す情報と、を含む。設定情報Ｉ２４、Ｉ２６も、設定情報Ｉ２０，Ｉ２２と同種の情報を含む。また、設定情報Ｉ５０Ａは、コネクタ４０Ａに接続されている測定機器５０Ａに割り当てられた識別情報「ＳＩＤ５０Ａ」と、データ種別（「大気圧」）を示す情報と、データサイズを示す情報と、データ区切りを示す情報と、データ取得のためのアドレスを示す情報と、を含む（図１参照）。【００３６】
本体１０内の各センサ２０〜２６のための設定情報Ｉ２０〜Ｉ２６は、本体１０の出荷前にベンダによって設定情報記憶領域３８に予め記憶されている。また、本体１０の外部に存在する測定機器５０Ａのための設定情報Ｉ５０Ａは、出荷時の設定情報記憶領域３８には記憶されていない。設定情報Ｉ５０Ａは、測定機器５０Ａが新たにコネクタ４０に接続される際に、制御部３０が後述の測定準備処理（図４のＳ１６〜Ｓ２４参照）を行うことによって、設定情報記憶領域３８に記憶される。【００３７】
設定情報記憶領域３８に設定情報Ｉ２０〜Ｉ２６が記憶されていることにより、制御部３０は、本体１０内の各センサ２０〜２６から本体測定情報を取得することができる（即ち本体測定情報を処理可能である）。同様に、設定情報記憶領域３８に設定情報Ｉ５０Ａが記憶されていることにより、制御部３０は、コネクタ４０Ａに接続されている測定機器５０Ａから、機器測定情報を取得することができる（即ち機器測定情報を処理可能である）。【００３８】
コネクタ４０Ａ〜４０Ｃは、いずれも、制御部３０と測定機器５０とを通信可能な態様で直接的に接続するためのインターフェースである。コネクタ４０Ａ〜４０Ｃはいずれも同様の構成を備えるコネクタである。各コネクタ４０には１個の測定機器５０を接続可能である。即ち、本実施例では、本体１０には最大３個の測定機器５０を同時に接続することができる。コネクタ４０Ａ〜４０Ｃのうちのいずれかに測定機器５０が接続されると、制御部３０は、当該コネクタ４０を介して測定機器５０と通信を実行することが可能になる。そして、制御部３０は、当該コネクタ４０を介して、測定機器５０から、当該測定機器５０が測定した測定情報を取得することが可能になる。図１の例では、コネクタ４０Ａに測定機器５０Ａが接続されている様子を示しているが、測定機器５０Ａがどのコネクタに接続されても制御部３０は測定機器５０Ａとの通信を同じように実行可能である。即ち、測定機器５０がどのコネクタ４０に接続されても処理上の差は生じない。【００３９】
（測定機器５０Ａ〜５０Ｄの構成；図１、図３）
測定機器５０Ａ〜５０Ｄは、いずれも、本体１０に備えられる各センサ２０〜２６によって測定される各測定情報とは異なる種類の測定情報を収集するための機器である。図３に示すように、測定機器５０Ａ〜５０Ｄは、それぞれ、異なる情報を測定するセンサ（符号５４Ａ〜５４Ｄ参照）を備えていることを除き、ほぼ同様の構成を有している。【００４０】
測定機器５０Ａは、管理対象機器の周辺の大気圧を測定する機器である。測定機器５０Ａは、コネクタ５２Ａと、大気圧センサ５４Ａと、制御部５６Ａと、メモリ５８Ａと、を備える。なお、図３では、入力部６０Ａ及び出力部６２Ａが破線で図示されているが、本実施例の測定機器５０Ａは入力部６０Ａ及び出力部６２Ａを備えていない。入力部６０Ａ及び出力部６２Ａについては後述の第２実施例で説明する。以下、測定機器５０Ｂ〜５０Ｄについても同様である。【００４１】
コネクタ５２Ａは、本体１０のコネクタ４０と直接的に接続可能なコネクタである。コネクタ５２Ａが本体１０のコネクタ４０に接続されると、本体１０の制御部３０と測定機器５０Ａの制御部５６Ａとの間で通信を実行可能な状態に切り替わる。大気圧センサ５４Ａは、管理対象機器の周辺の大気圧を測定するためのセンサである。制御部５６Ａは、メモリ５８Ａに記憶されているプログラムに従って様々な処理を実行する。また、メモリ５８Ａは、プログラムの他に、大気圧センサ５４Ａで測定された測定情報を記憶可能な測定情報記憶領域を有する。さらに、メモリ５８Ａには、測定機器５０Ａに予め割り当てられている識別情報「ＳＩＤ５０Ａ」が記憶されている。【００４２】
測定機器５０Ｂは、管理対象機器の周辺の土壌のｐｈを測定する機器である。測定機器５０Ｂは、コネクタ５２Ｂと、土壌ｐｈセンサ５４Ｂと、制御部５６Ｂと、メモリ５８Ｂと、を備える。土壌ｐｈセンサ５４Ｂは、管理対象機器の周辺の土壌のｐｈを測定するためのセンサである。コネクタ５２Ｂ、制御部５６Ｂ、メモリ５８Ｂは、測定機器５０Ａのコネクタ５２Ａ、制御部５６Ａ、メモリ５８Ａと同様であるため、詳しい説明を省略する。ただし、メモリ５８Ｂには、測定機器５０Ｂに予め割り当てられている識別情報「ＳＩＤ５０Ｂ」が記憶されている。【００４３】
測定機器５０Ｃは、管理対象機器の周辺のＣＯ２（二酸化炭素）濃度を測定する機器である。測定機器５０Ｃは、コネクタ５２Ｃと、ＣＯ２センサ５４Ｃと、制御部５６Ｃと、メモリ５８Ｃと、を備える。ＣＯ２センサ５４Ｃは、管理対象機器の周辺のＣＯ２濃度を測定するためのセンサである。コネクタ５２Ｃ、制御部５６Ｃ、メモリ５８Ｃは、測定機器５０Ａのコネクタ５２Ａ、制御部５６Ａ、メモリ５８Ａと同様であるため、詳しい説明を省略する。ただし、メモリ５８Ｃには、測定機器５０Ｃに予め割り当てられている識別情報「ＳＩＤ５０Ｃ」が記憶されている。【００４４】
測定機器５０Ｄは、管理対象機器の周辺で発生する音の大きさを測定する機器である。測定機器５０Ｄは、コネクタ５２Ｄと、音センサ５４Ｄと、制御部５６Ｄと、メモリ５８Ｄと、を備える。音センサ５４Ｄは、管理対象機器の周辺の音の大きさを測定するためのセンサである。コネクタ５２Ｄ、制御部５６Ｄ、メモリ５８Ｄは、測定機器５０Ａのコネクタ５２Ａ、制御部５６Ａ、メモリ５８Ａと同様であるため、詳しい説明を省略する。ただし、メモリ５８Ｄには、測定機器５０Ｄに予め割り当てられている識別情報「ＳＩＤ５０Ｄ」が記憶されている。【００４５】
（中継機１００の構成；図１）
中継機１００は、本体１０とサーバ２００との間の各種情報の送受信を中継する機器である。中継機１００は、情報管理システム２の管理者によって、管理対象機器の近傍（例えば同じ建物内）に設置される。上記の通り、中継機１００は、本体１０との間で無線通信（例えばＳｕｂ−ＧＨｚ通信等）を実行可能であるとともに、サーバ２００との間で無線通信（例えば３Ｇ通信、ＬＴＥ通信、Ｗｉ−Ｆｉ通信等）を実行可能である。【００４６】
（サーバ２００の構成；図１）
サーバ２００は、本体１０から中継機１００経由で受信した測定情報を記憶し、管理するためのサーバである。サーバ２００は、図示しない制御部、記憶部、表示部、操作部等を備えている。本実施例では、サーバ２００は、１個のサーバとして構成される。他の例では、サーバ２００に代えて、例えば測定情報を記憶するための記憶装置（データベース）と、各設定情報を記憶する設定情報サーバと、記憶装置内の測定情報の少なくとも一部を表示可能な表示装置と、を含む複数の装置によって構成される管理装置が設けられていてもよい。【００４７】
本実施例では、サーバ２００は、情報管理システム２の管理者によって設置される。さらに、サーバ２００は、測定機器５０Ａ〜５０Ｄのそれぞれから取得される測定情報の処理に必要な設定に関係する設定情報Ｉ５０Ａ，Ｉ５０Ｂ，Ｉ５０Ｃ，Ｉ５０Ｄを記憶している。設定情報Ｉ５０Ａについては上記の通りである（図１参照）。設定情報Ｉ５０Ｂ〜Ｉ５０Ｄも、設定情報Ｉ５０Ａと同種の情報を含む。設定情報Ｉ５０Ａ〜Ｉ５０Ｄは、サーバ２００が測定機器５０Ａ〜５０Ｄのベンダのサーバ（図示しない）にアクセスすることにより、ベンダのサーバからダウンロードされてサーバ２００に記憶される。他の例では、サーバ２００は、ベンダが配布する記録媒体（例えば設定情報Ｉ５０Ａ〜Ｉ５０Ｄが記録されたＣＤ−ＲＯＭ等）を読み込むことにより、設定情報Ｉ５０Ａ〜Ｉ５０Ｄを記憶してもよい。【００４８】
（具体例；図４）
続いて、図４を参照して、本実施例の情報管理システム２において、測定機器５０Ａが本体１０に接続される場合の各デバイス動作の具体例を説明する。なお、以下では、本体１０の制御部３０が実行する処理のことを単に本体１０の処理として説明し、測定機器５０Ａの制御部５６Ａが実行する処理のことを単に測定機器５０Ａの処理として説明する。また、図４における本体１０とサーバ２００との間の無線通信は、すべて中継機１００を経由して実行されるが、以下では「中継機１００を経由して」という説明を省略する。【００４９】
Ｓ１０において、本体１０及び測定機器５０Ａのユーザは、測定機器５０Ａのコネクタ５２Ａを本体１０のコネクタ４０Ａ〜４０Ｃのうちのいずれか一つに接続する。これにより、測定機器５０Ａが本体１０に接続される。以下では、測定機器５０Ａのコネクタ５２Ａが本体１０のコネクタ４０Ａに接続された例として説明する。【００５０】
Ｓ１２では、本体１０は、測定機器５０Ａがコネクタ４０Ａに接続されたことを検出する。続くＳ１４では、本体１０は、コネクタ４０Ａを介して測定機器５０ＡにＩＤリクエスト信号を供給する。ＩＤリクエスト信号は、本体１０に接続されている測定機器５０Ａに対して、識別情報の送信を要求するための信号である。【００５１】
測定機器５０Ａは、本体１０からＩＤリクエスト信号（Ｓ１４）を取得すると、メモリ５８Ａに記憶されている自身の識別情報「ＳＩＤ５０Ａ」を本体１０に供給する。【００５２】
Ｓ１６では、本体１０は、コネクタ４０Ａを介して、測定機器５０Ａから識別情報「ＳＩＤ５０Ａ」を取得する。続くＳ１８では、本体１０は、Ｓ１６で取得された識別情報「ＳＩＤ５０Ａ」を含む設定情報を記憶済みであるか否かを判断する。具体的には、Ｓ１８では、本体１０は、メモリ３２の設定情報記憶領域３８を参照し、Ｓ１６で取得された識別情報「ＳＩＤ５０Ａ」を含む設定情報が存在するか否かを判断する。設定情報記憶領域３８内に識別情報「ＳＩＤ５０Ａ」を含む設定情報がまだ記憶されていない場合（即ち、過去に測定機器５０Ａが本体１０に接続された実績がない場合）には、本体１０はＳ１８でＮＯと判断し、Ｓ２０に進む。一方、設定情報記憶領域３８内に識別情報「ＳＩＤ５０Ａ」を含む設定情報が既に記憶されている場合（即ち、過去に測定機器５０Ａが本体１０に接続された実績がある場合、又は、本体１０の出荷時点から既に識別情報「ＳＩＤ５０Ａ」を含む設定情報が設定情報記憶領域３８内に記憶されている場合）には、本体１０はＳ１８でＹＥＳと判断し、Ｓ２０〜Ｓ２４の各処理をスキップしてＳ２６に進む。【００５３】
Ｓ２０では、本体１０は、Ｓ１６で取得された測定機器５０Ａの識別情報「ＳＩＤ５０Ａ」を含む情報リクエスト信号を、無線通信Ｉ／Ｆ１２を介してサーバ２００に送信する。情報リクエスト信号は、識別情報「ＳＩＤ５０Ａ」に対応する測定機器５０Ａの設定情報Ｉ５０Ａの送信をサーバ２００に要求するための信号である。【００５４】
サーバ２００は、本体１０から情報リクエスト信号（Ｓ２０）を受信すると、サーバ２００のメモリ（図示省略）を参照し、情報リクエスト信号に含まれる識別情報「ＳＩＤ５０Ａ」を含む設定情報Ｉ５０Ａ（図１参照）を特定する。そして、サーバ２００は、特定された設定情報Ｉ５０Ａを本体１０に送信する。【００５５】
Ｓ２２では、本体１０は、無線通信Ｉ／Ｆ１２を介して、サーバ２００から設定情報Ｉ５０Ａを受信する。続くＳ２４では、本体１０は、Ｓ２２で受信された設定情報Ｉ５０Ａをメモリ３２の設定情報記憶領域３８に記憶させる。以下では、上記のＳ２０〜Ｓ２４の各処理をまとめて「測定準備処理」と呼ぶ場合がある。【００５６】
Ｓ２６では、本体１０は、コネクタ４０Ａを介してデータリクエスト信号を測定機器５０Ａに供給する。データリクエスト信号は、測定機器５０Ａに対して機器測定情報の供給の開始を要求するための信号である。【００５７】
測定機器５０Ａは、本体１０から設定完了通知及びデータリクエスト信号（Ｓ２６）を取得すると、所定のタイミング毎に、機器測定情報（即ち、大気圧センサ５４Ａによって計測された大気圧の値）を本体１０に供給する。【００５８】
Ｓ２８では、本体１０は、コネクタ４０Ａを介して、測定機器５０Ａから機器測定情報を取得する。そして、Ｓ３０では、本体１０は、自機の各センサ２０〜２６によって収集される本体測定情報（即ち、温湿度の値、加速度の値、照度の値、磁気の値）を取得する。【００５９】
続くＳ３２では、本体１０は、Ｓ２８で取得された機器測定情報及びＳ３０で取得された本体測定情報を含む測定情報を生成し、生成された測定情報をメモリ３２の測定情報記憶領域３６に記憶させる。【００６０】
続くＳ３４では、本体１０は、Ｓ３２で測定情報記憶領域３６に記憶された測定情報を、無線通信Ｉ／Ｆ１２を介してサーバ２００に送信する。本体１０は、測定情報の送信に成功すると（Ｓ３４）、Ｓ３２で測定情報記憶領域３６に記憶された測定情報（即ちＳ３４で送信された測定情報）に、送信が成功したことを示すＯＫフラグを対応付けて記憶させる。【００６１】
サーバ２００は、本体１０から測定情報を受信すると、受信された測定情報を記憶する。サーバ２００は、図示しない表示部に、受信された測定情報のうちの少なくとも一部を表示することができる。この際、サーバ２００は、本体１０から受信される測定情報に新たに接続された機器測定情報（この例の場合は「大気圧」を示す情報）が含まれている旨の通知（メッセージ等）を表示部に表示させるとともに、測定された大気圧の値を示す情報を表示させることができる。なお、サーバ２００が、測定された大気圧の値を示す情報を表示する際には、サーバ２００は、予め記憶している設定情報Ｉ５０Ａを利用する。例えば、サーバ２００は、設定情報Ｉ５０Ａにおいて設定されている有効桁数や単位を用いて、情報を表示することができる。以後、本体１０は、Ｓ２８，Ｓ３０，Ｓ３２の処理を繰り返し実行する。【００６２】
一方、通信環境の悪化等の要因により、本体１０とサーバ２００との間の無線通信が実行不可能な事態が発生する場合がある。その場合、本体１０は、測定情報をサーバ２００に送信することができない。具体的に言うと、Ｓ３４において、本体１０は、測定情報の少なくとも一部をサーバ２００に送信することを試行し、サーバ２００から所定時間内にＡＣＫ（即ち受信確認通知）を受信することを監視する。そして、測定情報の少なくとも一部をサーバ２００に送信した後で所定時間内にサーバ２００からＡＣＫが受信できない事態が所定回数以上繰り返される場合に、本体１０は、サーバ２００との間の無線通信が実行不可能であると判断する。そのような場合には、本体１０は、Ｓ３４，Ｓ３６の処理に代えて、以下のＳ４０〜Ｓ４６の各処理を実行する。なお、本体１０が、サーバ２００との間の無線通信が実行不可能な事態が発生しているか否かの判断手法は、上記のものには限られない。本体１０は、任意の手法によってサーバ２００との間の無線通信が実行不可能な事態が発生しているか否かを判断してもよい。【００６３】
Ｓ４０では、本体１０は、Ｓ３２で測定情報記憶領域３６に記憶された測定情報（即ち送信に失敗した測定情報）に、送信が失敗したことを示すＮＧフラグを対応付けて記憶させる。本体１０は、本体１０とサーバ２００との間の無線通信が実行可能な状態に復帰するまでの間、Ｓ２８，Ｓ３０，Ｓ３２，Ｓ４０の処理を繰り返し実行する。即ち、メモリ３２の測定情報記憶領域３６には、ＮＧフラグが対応付けられた測定情報が順次記憶される。【００６４】
その後、本体１０とサーバ２００との間の無線通信が実行可能な状態に復帰すると、Ｓ４２において、本体１０は、本体１０とサーバ２００との間の無線通信が実行可能な状態に復帰したことを検出する。具体的には、例えば、本体１０は、サーバ２００との間の無線通信が実行不可能な状態であると判断した後、定期的にサーバ２００に対して通信確認信号の送信を試行し、ＡＣＫ（即ち受信確認情報）の受信があるか否かを監視する。本体１０がサーバ２００からＡＣＫを受信する場合に、本体１０は、サーバ２００との間の無線通信が実行可能な状態に復帰したと判断する（Ｓ４２）。もっとも、本体１０が、サーバ２００との間の無線通信が実行可能な状態に復帰したか否かの判断手法は、上記のものには限られない。本体１０は、任意の手法によってサーバ２００との間の無線通信が実行可能な状態に復帰したか否かを判断してもよい。【００６５】
続くＳ４４では、本体１０は、メモリ３２の測定情報記憶領域３６に記憶された測定情報のうち、ＮＧフラグが対応付けられた測定情報（即ち無線通信を実行不可能な状態であった間に記憶された測定情報）を、無線通信Ｉ／Ｆ１２を介してサーバ２００に送信する。続くＳ４６では、本体１０は、ＮＧフラグが対応付けられた測定情報をサーバ２００に送信した後、Ｓ４４で送信された測定情報に対応付けられているＮＧフラグをＯＫフラグに変更する。これ以後、本体１０は、Ｓ２８，Ｓ３０，Ｓ３２，Ｓ３４の処理を繰り返し実行する。【００６６】
以上、本実施例の情報管理システム２の構成及び動作について説明した。本実施例では、測定機器５０を本体１０に接続することにより、本体１０のみでは収集できない種類の測定情報を収集するための測定ユニット４を構築することができる。そのため、ユーザは、本体１０に接続させる測定機器５０を選択することで、ユーザの希望する種類の測定情報を収集可能な任意の測定ユニット４を構築することができる。【００６７】
また、本実施例では、本体１０のコネクタ４０Ａ〜４０Ｃはいずれも同様の構成を備えている。どの測定機器５０がどのコネクタ４０に接続されても、制御部３０は、コネクタ４０に接続された測定機器５０との通信を同じように実行可能である。ユーザは、どの測定機器５０をどのコネクタ４０に接続させるべきかの制限を受けることなく、測定機器５０を任意のコネクタ４０に接続させて、所望の測定ユニット４を構築することができる。【００６８】
また、本実施例では、図４に示すように、本体１０の制御部３０は、測定機器５０Ａがコネクタ４０Ａに接続される際に、メモリ３２に設定情報Ｉ５０Ａが記憶されていない場合に（Ｓ１８でＮＯ）、測定準備処理（Ｓ２０〜Ｓ２４）を行う。測定準備処理が行われることにより、本体１０は、コネクタ４０Ａに接続されている測定機器５０Ａから、コネクタ４０Ａを介して機器測定情報を取得可能になるとともに（Ｓ２８）、取得された機器測定情報を、無線通信Ｉ／Ｆ１２を介してサーバ２００に送信することができる（Ｓ３２）。即ち、所望の種類の測定情報を収集するための測定ユニット４を準備すべき状況において、ユーザが測定機器５０Ａをコネクタ４０Ａに接続させれば、ユーザがその他の設定操作等を自分で行わなくても、所望の種類の測定情報を収集するための測定ユニット４が構築される。ユーザは、簡易な操作によって、所望の種類の測定情報を収集するための測定ユニット４を構築することができる。【００６９】
また、本実施例では、本体１０の制御部３０は、測定機器５０Ａがコネクタ４０Ａに接続される場合に、メモリ３２に設定情報Ｉ５０Ａが既に記憶されている場合に（Ｓ１８でＹＥＳ）、測定準備処理（Ｓ２０〜Ｓ２４）を行わずに、測定機器５０Ａからコネクタ４０Ａを介して機器測定情報を取得する（Ｓ２８）。そのため、測定機器５０Ａがコネクタ４０Ａに接続される毎に測定準備処理が実行される構成を採用する場合に比べて、本体１０の処理負荷が小さく済む。【００７０】
また、本実施例では、本体１０は、測定情報をメモリ３２の測定情報記憶領域３６に記憶させておくことができる（Ｓ３２）。そのため、例えば、本体１０とサーバ２００との間の通信環境の悪化等の要因によって本体１０とサーバ２００との間の無線通信が実行不可能な事態が発生した場合においても、その間の測定情報が失われる事態の発生を防止することができる。そして、本体１０とサーバ２００との間の無線通信が実行可能な状態に復帰すると、本体１０は、無線通信を実行不可能な状態であった間にメモリ３２の測定情報記憶領域３６に記憶された測定情報（即ちＮＧフラグが対応付けられている測定情報）を、無線通信Ｉ／Ｆ１２を介してサーバ２００に送信することができる（Ｓ４２、Ｓ４４）。もしくは、サーバ２００の管理者、その他の端末のユーザ等（以下では「サーバ２００の管理者等）と呼ぶ）は、メモリ３２の測定情報記憶領域３６内の測定情報を読み出すことによって、測定情報記憶領域３６内に蓄積された測定情報を取得することもできる。【００７１】
また、本実施例では、本体１０は、センサ２０〜２６を備えている。センサ２０〜２６によって収集される本体測定情報は、測定機器５０によって収集される機器測定情報とは異なる種類の測定情報である。本実施例によると、仮にコネクタ４０に測定機器５０が接続されていない場合であっても、本体１０は、センサ２０〜２６が測定する本体測定情報を収集することができる。即ち、本体１０は、測定機器５０が接続されていなくても、ある程度の種類の測定情報を収集することができる。【００７２】
また、本実施例では、本体１０は、本体１０の各部に電力を供給する電源部１４を備える。電源部１４は、コネクタ４０に接続される測定機器５０にも、コネクタ４０を介して電力を供給することができる。そのため、測定機器５０は、自身が電源を備えなくても、本体１０から供給される電力を利用して測定情報を収集することができる。【００７３】
測定機器５０Ａが「対象の測定機器」の一例である。中継機１００とサーバ２００の組合せが「管理装置」の一例である。図４のＳ１８でＮＯの場合が「特定の場合」の一例である。コネクタ４０Ａ〜４０Ｃが「測定インターフェース」の一例である。センサ２０〜２６が「測定部」の一例である。【００７４】
（第２実施例）
第２実施例の情報管理システムについて、第１実施例と異なる点を中心に説明する。本実施例では、図３に示すように、測定機器５０Ａが、入力部６０Ａ及び出力部６２Ａを備える点が第１実施例とは異なる。入力部６０Ａは、大気圧センサ５４Ａとは異なる図示しない外部センサ（たとえば、ＰＭ２．５を計測するためのセンサなど）を接続可能な外部インターフェースである。本実施例では、入力部６０Ａに外部センサを接続することにより、測定機器５０Ａを、大気圧に加えて他の値を計測可能な装置としても機能させることができる。なお、本実施例の他の例では、測定機器５０Ａには大気圧センサ５４Ａが備えられておらず、入力部６０Ａのみが備えられていてもよい。【００７５】
出力部６２Ａは、外部機器を制御するための制御信号を出力するための外部インターフェースである。ここで、外部機器とは、例えば電灯、ブザー、ドアロック等、オンオフ制御が可能な各種機器を含む。制御信号は、オンオフ信号である。すなわち、本実施例では、測定機器５０Ａは、大気圧センサ５４Ａによって計測される大気圧の値、もしくは、入力部６０Ａに接続される外部センサによって計測される値に応じて、外部機器をオンオフ制御する制御装置としても機能する。【００７６】
本実施例では、測定機器５０Ｂも同様に入力部６０Ｂ及び出力部６２Ｂを備える。測定機器５０Ｃも入力部６０Ｃ及び出力部６２Ｃを備える。測定機器５０Ｄも入力部６０Ｄ及び出力部６２Ｄを備える。【００７７】
（第３実施例）
第３実施例の情報管理システムについて、第１実施例と異なる点を中心に説明する。本実施例では、測定機器５０Ａは、機器測定情報をメモリ５８Ａに記憶させておく。そして、測定機器５０Ａは、測定機器５０Ａと本体１０の間の通信、及び、本体１０とサーバ２００との間の通信がいずれも実行可能な状態である場合（即ち、機器測定情報を本体１０及びサーバ２００へ送信可能な場合）には、メモリ５８ＡにＯＫフラグを対応付けた機器測定情報を記憶させる。一方、測定機器５０Ａと本体１０との間の接続状況の悪化等の要因によって測定機器５０Ａと本体１０とが通信不可能な場合、または、本体１０とサーバ２００との間の通信環境の悪化等の要因によって本体１０とサーバ２００との間の無線通信が実行不可能な事態が発生した場合（即ち、機器測定情報を本体１０及びサーバ２００へ送信不可能な場合）には、測定機器５０Ａは、メモリ５８ＡにＮＧフラグを対応付けた機器測定情報を記憶させる。その場合、測定機器５０Ａは、測定機器５０Ａと本体１０の間の通信、及び、本体１０とサーバ２００との間の通信がいずれも実行可能な状態に復帰する場合に、メモリ５８Ａ内のＮＧフラグが対応付けられた機器測定情報を本体１０に供給するようにしてもよい。そして、その後、メモリ５８Ａ内のＮＧフラグをＯＫフラグに変更するようにしてもよい。【００７８】
サーバ２００の管理者等は、メモリ５８Ａ内の測定情報を読み出すことによって、機器測定情報を取得することもできる。【００７９】
また、本実施例によると、測定機器５０Ａと本体１０の間の通信、又は、本体１０とサーバ２００との間の通信が実行不可能な状態が発生した場合においても、その間の測定情報が失われる事態の発生を防止することができる。【００８０】
また、本実施例では、測定機器５０Ｂ〜５０Ｄも、測定機器５０Ａと同様に動作する。【００８１】
（第４実施例）
第４実施例の情報管理システムについて、第１実施例と異なる点を中心に説明する。本実施例では、本体１０は、無線通信Ｉ／Ｆ１２を介して、サーバ２００から、サーバ２００が記憶する各設定情報Ｉ５０Ａ等を定期的に受信し、メモリ３２の設定情報記憶領域３８に記憶させておく点が第１実施例とは異なる。本実施例では、サーバ２００に新たな設定情報が記憶される毎に、本体１０とサーバ２００との間で無線通信が実行され、本体１０がサーバ２００から新たな設定情報を受信する。そのため、本体１０のメモリ３２内には、常時最新の設定情報を含む各種設定情報が記憶される。そのため、本実施例では、例えば本体１０のコネクタ４０Ａに測定機器５０Ａが接続される場合であっても、本体１０は、測定準備処理を実行することなく、測定機器５０Ａから機器測定情報を取得することができる。【００８２】
本実施例によると、本体１０は、測定機器５０が接続される際に測定準備処理を実行する必要がないため、測定機器５０が接続された後、速やかに機器測定情報の取得を開始することができる。【００８３】
以上、実施例を詳細に説明したが、これらは例示に過ぎず、特許請求の範囲を限定するものではない。特許請求の範囲に記載の技術には、以上に例示した具体例を様々に変形、変更したものが含まれる。例えば、以下の変形例が含まれる。【００８４】
（変形例１）本体１０に複数個の有線通信Ｉ／Ｆが設けられていてもよい。この変形例ではコネクタ４０が省略されてもよい。この変形例では、本体１０と測定機器５０とは有線通信Ｉ／Ｆと通信ケーブルを介して有線通信可能な態様で有線接続されてもよい。この変形例における有線通信Ｉ／Ｆも「測定インターフェース」の一例である。【００８５】
（変形例２）また、本体１０と測定機器５０とが、無線通信Ｉ／Ｆ１２を介して無線通信可能な態様で無線接続されてもよい。この変形例では、コネクタ４０が省略されてもよい。この変形例における無線通信Ｉ／Ｆ１２も「測定インターフェース」の一例である。なお、この変形例において、無線通信Ｉ／Ｆ１２とは異なる機器用無線通信Ｉ／Ｆを別途設けてもよい。その場合、本体１０と測定機器５０とが、機器用無線通信Ｉ／Ｆを介して無線通信可能な態様で無線接続されればよい。【００８６】
（変形例３）本体１０に備えられるセンサ、及び、各測定機器５０に備えられるセンサは、上記のものには限られない。本体１０と各測定機器５０のうちのどの機器にどのようなセンサが備えられてもよい。例えば、人感センサ、体温センサ、脈拍センサ、ＧＰＳ（Global Positioning System）センサ、電波強度センサ、降水量センサ、交通量センサ、花粉センサ、ＰＭ２．５センサ、放射線センサ、電池残量センサ、等が備えられていてもよい。【００８７】
（変形例４）本体１０に設けられるコネクタの数も、３個に限られず、任意であってもよい。従って、例えば、２個や、４個以上であってもよい。【００８８】
（変形例５）本体１０のセンサ２０〜２６が省略されてもよい。その場合、本体１０は、コネクタ４０に接続される測定機器５０から取得される機器測定情報のみをサーバ２００に送信すればよい。【００８９】
（変形例６）本体１０と中継機１００との間の通信と、中継機１００とサーバ２００との間の通信と、のうちの少なくとも一方が有線通信であってもよい。一般的に言うと、本体と管理装置とが通信可能であればよい。【００９０】
（変形例７）本体１０とサーバ２００とが、中継機１００を介さずに、相互に直接無線通信を行ってもよい。この変形例の場合、サーバ２００が「管理装置」の一例である。【００９１】
（変形例８）図４のＳ３４において、本体１０の制御部３０は、無線通信Ｉ／Ｆ１２を介したサーバ２００に測定情報の送信に成功する場合には、送信に成功した測定情報をメモリ３２の測定情報記憶領域３６から消去するようにしてもよい。その場合、本体１０の制御部３０は、無線通信Ｉ／Ｆ１２を介したサーバ２００に測定情報の送信に失敗する場合に、送信に失敗した測定情報をメモリ３２の測定情報記憶領域３６から消去せずに維持するようにしてもよい。【００９２】
（変形例９）同様に、第３実施例において、測定機器５０Ａは、本体１０への機器測定情報の供給に成功する場合、供給に成功した機器測定情報をメモリ５８Ａから消去するようにしてもよい。その場合、測定機器５０Ａは、測定機器５０Ａと本体１０とが通信不可能な場合、または、本体１０とサーバ２００との間の通信環境の悪化等の要因によって本体１０とサーバ２００との間の無線通信が実行不可能な事態が発生した場合等において、供給に失敗した機器測定情報をメモリ５８Ａから消去せずに維持するようにしてもよい。【００９３】
（変形例１０）本体１０のメモリ３２が、測定情報記憶領域３６を備えていなくてもよい。同様に、測定機器５０のメモリ５８も、測定情報を記憶しないように構成されていてもよい。【００９４】
（変形例１１）本体１０の電源部１４は、商用電源であってもよい。【００９５】
（変形例１２）本体１０の電源部１４は、コネクタ４０を介して接続されている測定機器５０に電力を供給しないように構成されていてもよい。その場合、測定機器５０が、測定機器５０の各部に電力を供給するための電源部を備えていてもよい。【００９６】
（変形例１３）上記の各実施例では、サーバ２００が設定情報Ｉ５０Ａ〜Ｉ５０Ｄを記憶している。これに限られず、中継機１００が設定情報Ｉ５０Ａ〜Ｉ５０Ｄを記憶していてもよい。その場合、本体１０と中継機１００との間で測定準備処理（図４のＳ２０〜Ｓ２４参照）が実行されてもよい。【００９７】
（変形例１４）上記の各実施例のサーバ２００に代えて、測定情報を記憶するための記憶装置（データベース）と、各設定情報を記憶する設定情報サーバと、記憶装置内の測定情報の少なくとも一部を表示可能な表示装置と、を含む複数の装置によって構成される管理装置が設けられていてもよい。その場合、各装置間は通信可能に接続されている。この変形例では、記憶装置と設定情報サーバが測定機器５０Ａ〜５０Ｄのベンダによって設置され、表示装置がユーザによって設置されてもよい。即ち、管理装置は、複数の主体によって別個に設置される複数の装置によって構成されていてもよい。【００９８】
（変形例１５）上記の各実施例では、本体１０のコネクタ４０Ａ〜４０Ｃには、互いに異なる種類の測定情報を収集するための測定機器５０Ａ〜５０Ｄのうちの３個が接続される状況が想定されている。これに限られず、本体１０のコネクタ４０Ａ〜４０Ｃのうちの２個又は３個すべてに、同種の測定情報を収集するための測定機器が接続されてもよい。その場合、各測定機器は、各測定機器によって収集される情報を識別するための識別情報（例えば「ＳＩＤ５０Ａ」等）に加えて、各測定機器に固有のユニークな固有情報（例えば、シリアル番号等）を有していてもよい。そして、本体１０の制御部３０は、各コネクタに接続された同種の測定機器同士を、固有情報に基づいて識別するようにしてもよい。制御部３０は、同種の機器測定情報に固有情報を対応付けて、固有情報が対応付けられた機器測定情報を含む測定情報を生成してもよい（図４のＳ３２）。これにより、サーバ２００は、同種の機器測定情報が、どの測定機器によって収集された情報であるのかを識別することができる。また、他の例では、本体１０の制御部３０は、各コネクタに接続された同種の測定機器同士を、測定機器が接続されているコネクタを示すコネクタ番号に基づいて識別するようにしてもよい。その場合、制御部３０は、同種の機器測定情報にコネクタ番号を対応付けて、コネクタ番号が対応付けられた機器測定情報を含む測定情報を生成してもよい（図４のＳ３２）。一般的に言うと、対象の測定機器は、Ｍ種類（Ｍは１以上の整数）の測定情報を収集するＮ個（ＮはＭ以上の整数）の測定機器のうちの一つであればよい。【００９９】
（変形例１６）本体１０は、省電力モードで動作してもよい。本体１０が省電力モードで動作する場合、例えば、本体１０の制御部３０は、センサ２０〜２６からの本体測定情報の取得頻度、及び、コネクタ４０Ａ〜４０Ｃに接続された測定機器からの機器測定情報の取得頻度を、通常モードに比べて低くしてもよい。また、省電力モードでは、制御部３０は、サーバ２００への測定情報の送信頻度を通常モードに比べて低くしてもよい。省電力モードで動作する場合、通常モードで動作する場合に比べて電源部１４における電力消費量を少なくすることができる。【０１００】
（変形例１７）本体１０の制御部３０は、コネクタ４０Ａ〜４０Ｃに接続された測定機器の動作設定（例えば、測定周期の設定、スリープモード移行期間の設定など）を変更する処理を行ってもよい。本体１０のメモリ３２には、そのような動作設定の変更処理を実行するためのプログラムが記憶されていてもよい。また、そのようなプログラムが、サーバ２００から供給されるようにしてもよい。【０１０１】
（情報管理システムの利用例の紹介）
本明細書で開示される情報管理システム２が利用される例を紹介しておく。【０１０２】
（利用例１）例えば、情報管理システム２を遊技店内の遊技者の生体状態（遊技者の存否、遊技者の体温、脈拍等）の管理のために利用してもよい。その場合、測定ユニット４は、遊技機の近傍に配置されてもよい。本体１０には、人感センサを内蔵する測定機器、体温センサを内蔵する測定機器、脈拍センサを内蔵する測定機器を接続させることができる。人感センサの検出値を監視することで、遊技者の存否を判断することができる。また、体温センサの検出値及び脈拍センサの検出値を監視することで、遊技者の健康状態を把握することができる。【０１０３】
（利用例２）本体１０に、電池残量センサを内蔵する測定機器、及び、ＧＰＳセンサを内蔵する測定機器を接続して、測定ユニット４の生死監視及び盗難検出を行ってもよい。電池残量センサの検出値を監視することで、本体１０の生死を判断し得る。また、ＧＰＳセンサの検出値を監視することで、本体１０の位置を把握し、本体１０が盗難されているか否かを判断し得る。【０１０４】
（その他の利用例）また、本体１０及び測定機器に内蔵するセンサを適宜選択することにより、以下のような場面でも情報管理システム２を利用可能である。
（１）農業、畜産業等における作物、家畜、環境等の状態の監視及び管理。
（２）扉の開閉状態、侵入者等を検出することによる安全管理。
（３）外部センサと接続することによる拡張ユニットの構築。
（４）介護、看護等の分野における要介護者の状態（例えば健康状態、徘徊の有無等）の監視及び管理。
（５）家電等の稼働状態を検出することによる、高齢者等の安否確認管理。
（６）上記以外の各種対象の各種状態の監視及び管理。【０１０５】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図１】
2018207262.tif 000003
【図２】
2018207262.tif 000004
【図３】
2018207262.tif 000005
【図４】
2018207262.tif 000006
【国際調査報告】
2018207262.tif 000007
2018207262.tif 000008
2018207262.tif 000009
2018207262.tif 000010